(57)【特許請求の範囲】
【請求項１】
巻き癖が付いたシートの巻き癖を除去するための装置であって、巻き癖を有するシートよりも高い剛性を有する基板シートと、該基板シートの中央付近に端部が固定されている挟持シートとを備え、前記基板シートと前記挟持シートとの間にシート挟持部が形成されていることを特徴とする巻き癖除去装置。
【請求項２】
請求項１において、前記基板シートの幅寸法及び前記挟持シートの幅寸法は、前記巻き癖の付いたシートの幅寸法よりもやや大きめであることを特徴とする巻き癖除去装置。
【請求項３】
請求項１または２において、前記挟持シートの側部または前記挟持シートが設けられている側の前記基板シートの側部には切り欠きが形成されていることを特徴とする巻き癖除去装置。
【請求項４】
請求項１〜３のいずれかにおいて、前記挟持シートが設けられていない側の前記基板シートには、巻き方向に沿ってスリップ止めが設けられていることを特徴とする巻き癖除去装置。
【請求項５】
請求項４において、前記スリップ止めは、前記基板シートを巻いたときの内側及び／又は外側の面に設けられていることを特徴とする巻き癖除去装置。
【請求項６】
請求項１〜５のいずれかにおいて、前記挟持シートが設けられていない側の前記基板シートの表面は、梨地加工されていることを特徴とする巻き癖除去装置。
【請求項７】
請求項６において、前記梨地加工は、前記基板シートを巻いたときの内側及び／又は外側の面になされていることを特徴とする巻き癖除去装置。
【請求項８】
請求項１〜７のいずれかにおいて、前記挟持シートが設けられていない側の前記基板シートの巻き開始端部は、他の部分よりも柔らかめに形成されていることを特徴とする巻き癖除去装置。
【請求項９】
請求項１〜８のいずれかにおいて、前記挟持シートが設けられていない側の前記基板シートの巻き開始端部には、予め巻き方向に巻き癖が付いていることを特徴とする巻き癖除去装置。
【請求項１０】
請求項１〜９のいずれかにおいて、前記挟持シートまたは前記挟持シートが設けられている側の基板シートには、巻き癖が付いたシートを正しくセットするための基準線が形成されていることを特徴とする巻き癖除去装置。
【請求項１１】
請求項１〜１０のいずれかにおいて、前記基板シート及び前記挟持シートは透明なプラスチックシートで構成されていることを特徴とする巻き癖除去装置。
【請求項１２】
請求項１〜１１のいずれかにおいて、前記基板シート及び前記挟持シートはポリエチレンテレフタレートで構成されていることを特徴とする巻き癖除去装置。
【発明の詳細な説明】
【０００１】
【発明の属する技術分野】
本発明は、ロールに巻かれたロール紙の巻き癖をとるための装置に関するものである。
【０００２】
【従来の技術】
最近では、プリンタ用の用紙としてロール紙を使用することが多くなっている。ロール紙は紙管に一枚の長い紙をロール状に巻いてあるため、これを巻き解しながら使用するときに、巻き癖が付いてしまう。そのため、ロール紙をプリンタの搬送経路にセットする場合には、ロール紙端部が丸まってしまうため、セットに時間が掛かったり、搬送経路内で巻き癖の影響によりロール紙が浮き上がるなどの原因ともなる。更に、ロール紙の端部に巻き癖が付いていると、プラテン上で印字ヘッドによりロール紙に印字を行った後、ロール紙端部が上方へ浮いて印字ヘッドに触れて印刷直後の印字面を汚してしまうという問題もある。
【０００３】
一方、ロール紙に印刷後、所定の長さで切断したものを保存しておく場合には、ロール紙に巻く癖が残っていると保存しにくく、またロール紙に印字された文字を読む場合にも読みにくいという問題もある。
【０００４】
そこで従来は、例えば図５に示す如く、蛇腹状に折り畳んだプリンタの取扱い説明書１０１の谷部分１０５に、巻き癖の付いたロール紙１０３を挟んだ状態で、図６に矢印で示す如くロール紙１０３の巻き癖と反対方向へ取扱い説明書１０１と一緒に巻いていくことにより、ロール紙１０３の巻き癖を除去するように、該取扱い説明書１０１内で使用者に説明していた。
【０００５】
【発明が解決しようとする課題】
しかし、取扱い説明書１０１自体、本来そのような目的のために作成されるものではないため、取扱説明書１０１自体巻きにくく、また一旦巻かれた取扱説明書１０１は巻き癖が付いてしまい、読みにくくなってしまう。
【０００６】
そこで本発明の課題は、ロール紙の巻き癖を除去するのに適した構造を備える巻き癖除去具を提供することにある。
【０００７】
【課題を解決するための手段】
上記課題を達成するため、本願請求項１に記載の発明は、巻き癖が付いたシートの巻き癖を除去するための装置であって、巻き癖を有するシートよりも高い剛性を有する基板シートと、該基板シートの中央付近に端部が固定されている挟持シートとを備え、前記基板シートと前記挟持シートとの間にシート挟持部が形成されていることを特徴とするものである。
【０００８】
本発明によれば、基板シートと挟持シートとの間に巻き癖が付いたシートを挟んだ状態で、挟持シートの設けられていない側の基板シートの端部側から、巻き癖と反対方向へ基板シート及び挟持シートを巻いていくことにより、シートの巻き癖を除去することができる。この際、挟持シートの設けられていない側の基板シートの端部側から巻き始めるため、基板シートの巻きが安定したところから巻き癖の付いたシートが巻き始められる。
【０００９】
従って、巻き癖の付いたシートは同じ曲率で平均的に巻き戻されるため、巻き癖を綺麗に直すことができる。更に巻き癖を有するシートよりも高い剛性を有する基板シートを使用することで、巻き癖を有するシートをそのまま巻き戻した場合に比べて、巻きの過程で断面が綺麗な円形になるように巻いていくことができるとともに、巻き癖を有するシートは該基板シートの巻きに素直に従って巻かれる。
【００１０】
また、本願請求項２に記載の発明は、請求項１に記載された巻き癖除去装置において、前記基板シートの幅寸法及び前記挟持シートの幅寸法は、前記巻き癖の付いたシートの幅寸法よりもやや大きめであることを特徴とするものである。  本発明によれば、巻き癖の付いたシートの幅全体を基板シートと挟持シートとの間に挟むことができるため、巻き癖シートの幅方向に亘り平均的に巻き戻しを行うことができる。また巻き癖の付いたシートを基板シートと挟持シートとの間に挟む際に、基板シートまたは挟持シートの幅方向両側部の辺が巻き癖の付いたシートの幅方向両側部の辺と隣接して位置決めできるため、両者の辺の平行性から巻き癖の付いたシートが正しく配置されているかどうかを一見して確認することができる。
【００１１】
また、本願請求項３に記載の発明は、請求項１または２に記載された巻き癖除去装置において、前記挟持シートの側部または前記挟持シートが設けられている側の前記基板シートの側部には切り欠きが形成されていることを特徴とするものである。
本発明によれば、切り欠きに指を入れて挟持シートを捲り上げるようにすれば、容易に挟持シートを基板シートから分離することができる。
【００１２】
また、本願請求項４に記載の発明は、請求項１〜３のいずれかに記載された巻き癖除去装置において、前記挟持シートが設けられていない側の前記基板シートには、巻き方向に沿ってスリップ止めが設けられていることを特徴とするものである。
本発明によれば、挟持シートが設けられていない側の基板シートは巻き始め側に相当するが、この部分にスリップ止めを設けることにより、スリップ止めが一周巻かれた基板シートの面とスリップすることなく接触するため、基板シートの剛性により元の平らな状態に復帰しようとする力を打ち消して、基板シートの始端側を安定して巻き易くなる。
【００１３】
また、本願請求項５に記載の発明は、請求項４に記載された巻き癖除去装置において、前記スリップ止めは、前記基板シートを巻いたときの内側及び／又は外側の面に設けられていることを特徴とするものである。
本発明によれば、スリップ止めが基板シートの内側に設けられていれば、巻き始められた基板シートの外側の面が一周巻かれて基板シートの内側の面のスリップ止めに接触することにより、スリップ止めが利いて巻き易くなる。また、スリップ止めが基板シートの外側に設けられていれば、巻き始められた基板シートの外側の面のスリップ止めが一周巻かれて基板シートの内側の面に接触することにより、スリップ止めが利いて巻き易くなる。更に、基板シートの内側と外側の両方にスリップ止めが設けられていれば、上記の両方の作用により、更に一層巻き易くなる。
【００１４】
また、本願請求項６に記載の発明は、請求項１〜５のいずれかに記載された巻き癖除去装置において、前記挟持シートが設けられていない側の前記基板シートの表面は、梨地加工されていることを特徴とするものである。
本発明によれば、挟持シートが設けられていない側の基板シートは巻き始め側に相当するが、この部分を梨地加工することにより、一周巻かれた基板シート同士の接触面が梨地加工のため摩擦力が作用して滑りにくくなり、基板シートの剛性により元の平らな状態に復帰しようとする力を打ち消して、基板シートの始端側を安定して巻き易くなる。
【００１５】
また、本願請求項７に記載の発明は、請求項６に記載された巻き癖除去装置において、前記梨地加工は、前記基板シートを巻いたときの内側及び／又は外側の面になされていることを特徴とするものである。
本発明によれば、梨地加工が基板シートの内側に設けられていれば、巻き始められた基板シートの外側の面が一周巻かれて基板シートの内側の梨地加工面に接触することにより、摩擦力が働いてスリップしにくくなり、巻き易くなる。また、梨地加工が基板シートの外側に設けられていれば、巻き始められた基板シートの外側の梨地加工面が一周巻かれて基板シートの内側の面に接触することにより、摩擦力が働いてスリップしにくくなり、巻き易くなる。更に、基板シートの内側と外側の両方に梨地加工が施されていれば、上記の両方の作用により、更に一層摩擦力が働いて巻き易くなる。
【００１６】
また、本願請求項８に記載の発明は、請求項１〜７のいずれかに記載された巻き癖除去装置において、前記挟持シートが設けられていない側の前記基板シートの巻き開始端部は、他の部分よりも柔らかめに形成されていることを特徴とするものである。
本発明によれば、柔らかい巻き開始端部は容易に巻くことができ、１周の巻きが一旦完成すれば、その後は基板シート等の剛性があっても比較的容易に巻いていくことができる。
【００１７】
また、本願請求項９に記載の発明は、請求項１〜８のいずれかに記載された巻き癖除去装置において、前記挟持シートが設けられていない側の前記基板シートの巻き開始端部には、予め巻き方向に巻き癖が付いていることを特徴とするものである。本発明によれば、基板シートの巻き癖に沿って巻いていくことにより、巻き始めが容易となる。
【００１８】
また、本願請求項１０に記載の発明は、請求項１〜９のいずれかに記載された巻き癖除去装置において、前記挟持シートまたは前記挟持シートが設けられている側の基板シートには、巻き癖が付いたシートを正しくセットするための基準線が形成されていることを特徴とするものである。
本発明によれば、巻き癖の付いたシートの巻き方向側部の辺を基準線に合わせて、あるいは基準線と平行にして挟持シートと基板シートとの間に挟み込むことにより、正しい方向で巻き癖を直すことができる。
【００１９】
また、本願請求項１１に記載の発明は、請求項１〜１０のいずれかに記載された巻き癖除去装置において、前記基板シート及び前記挟持シートは透明なプラスチックシートで構成されていることを特徴とするものである。
本発明によれば、基板シートと挟持シートとの間に挟んだ状態で巻き癖の付いたシートの位置が確認できるため、該シートを正しい向きで配置した状態で巻き癖をとることができる。
【００２０】
また、本願請求項１２に記載の発明は、請求項１〜１１のいずれかに記載された巻き癖除去装置において、前記基板シート及び前記挟持シートはポリエチレンテレフタレートで構成されていることを特徴とするものである。本発明によれば、挟持シートを基板シートに容易に熱溶着することができ、しかも安価で透明性に優れ加工し易い。
【００２１】
【発明の実施の形態】
以下、本願発明の実施の形態を図面に基づいて説明する。図１は本発明に係る巻き癖除去装置の正面図であり、図２は本発明に係る巻き癖除去装置の構成を示す分解図であり、図３は巻き癖除去装置に巻き癖の付いたシートをセットした状態を示す正面図であり、図４は巻き癖除去装置を巻いている様子を示す斜視図である。
【００２２】
図１、図２に示す如く、巻き癖除去装置１はポリエチレンテレフタレート製の無色透明なほぼ矩形の１枚の基板シート３と、該基板シート３のほぼ半分の形状を有するポリエチレンテレフタレート製の無色透明なほぼ矩形の挟持シート５とから構成されている。基板シート３は、巻き癖を有するシートよりも高い剛性を有する。
【００２３】
挟持シート５の長手方向の一辺には被溶着部７が形成されており、該被溶着部７が基板シート３の中央部分の溶着部９に加圧熱溶着されることによって、基板シート３のほぼ半分の領域に挟持シート５が重なっている。本実施の形態では、挟持シート５の３辺が基板シート３の辺に綺麗に揃うようになっているが、これらの辺が揃っていることは必ずしも必要ない。また挟持シート５が溶着される位置は、基板シート３の正確に中央である必要はなく、溶着部９を挟んで一方の側に基板シート３を少なくとも一回巻くことができる程度の領域があり、溶着部９を挟んで反対側に巻き癖の付いたシートを配置するのに十分な領域がとれるのであれば、溶着部９の位置は限定されない。本発明において「基板シートの中央付近」とは、以上のような意味で使用されている。
【００２４】
基板シート３と挟持シート５の重なった部分の間が、巻き癖の付いたシートを挟み込むためのシート挟持部１０として機能するように形成されている。図３に示す如く、シート挟持部１０には溶着部９周辺まで巻き癖の付いたシートＳの一端部１７を差し込むことができるようになっており、基板シート３と挟持シート５とが溶着部９周辺で近接しているため、巻き癖の付いたシートＳの端部１７は両者の間でしっかりと挟持することができるようになっている。
【００２５】
基板シート３の挟持シート５が設けられていない側（以下、巻き始端側という）には、基板シート３の長手方向に沿って中央付近にスリップ止め１１が形成されている。スリップ止め１１は例えばゴムなどの摩擦抵抗の大きな材質を薄くコーティングすることにより構成されており、このスリップ止め１１により基板シート３の巻き始端側を巻いていくときに、基板シート３の剛性による巻き戻し力を緩和することができる。本実施の形態ではスリップ止め１１が、基板シート３を巻いたときの内側になる面に形成されているが、外側になる面側に形成してよいし、内側と外側の両方に形成するようにしてもよい。スリップ止め１１の形状や配置は図１に示すものに限定されず、基板シート３を巻いていく際に実質的にスリップ止めとして作用するような位置であればどのような位置にどのような形状のスリップ止めを形成してもよい。
【００２６】
また図示しないが、スリップ止め１１の代わりにまたはスリップ止め１１と共に、基板シート３の上記内側または外側あるいはこれらの両側に梨地加工を施してもよい。基板シート３を巻いていく際に、梨地加工によってもスリップ止め１１と同様な効果が得られる。
【００２７】
基板シート３の挟持シート５が設けられる側（以下、巻き終端側という）には、巻き癖が付いたシートＳを正しくセットするための基準線１３が形成されている。本実施の形態では、巻き癖が付いたシートＳをシート挟持部１０に挟み込む際に該シートＳの両側部の辺が基準線１３に沿って配置するとシートＳが正しく配置されるようになっている。基準線１３はＡ４，Ｂ５など紙の大きさに応じて、複数種類形成してもよい。また基準線１３は巻き癖が付いたシートＳの両側部の辺より外側に位置するように形成されていてもよい。この場合には、シートＳの両側部が基準線１３と平行になるようにセットする。更に基準線１３は、挟持シート５側に形成することもできる。
【００２８】
基板シート３の巻き開始端部１４は、巻き易いように他の部分よりも柔らかめに形成されている。巻き開始端部１４を柔らかくする方法としては、巻き開始端部１４のみ加熱してテンションを加えて薄く延ばすなどの方法が可能である。また巻き開始端部１４には、巻き易くするために、予め巻き方向に巻き癖を付けるようにしてもよい。巻き癖を付ける方法としては、加熱したロール上に巻き開始端部１４を巻き付けてその後冷却するなどの方法が採り得る。
【００２９】
次に挟持シート５は、基板シート３との間に巻き癖が付いたシートＳを挟持できる程度の剛性を備えていればよく、必ずしも巻き癖を有するシートＳより高い剛性を有する必要はない。尚、本実施の形態では、挟持シート５は、製造を簡単化する観点から基板シート３と同じ剛性のものが用いられている。挟持シート５の一側部には切り欠き１５が形成されており、これは挟持シート５を基板シート３から捲り上げるときに指を掛ける部分として機能する。勿論、このような切り欠き１５を基板シート３側に形成することもできる。
【００３０】
本発明の巻き癖除去装置１は以上のような構成を備えるものであり、以下その作用について説明する。まず図３に示す如く、切り欠き１５を利用して挟持シート５を捲り上げ、基板シート３と挟持シート５の間に形成されたシート挟持部１０に巻き癖の付いたシートＳを挟み込むようにする。この際、シートＳの両側の辺が基準線１３に一致するようにセットする。なお巻き癖の付いたシートＳは、例えばロール状に巻かれたロール紙の紙端部分であったり、ロール紙を使用して印刷後に切断されたロール紙などである。
【００３１】
次に図３中矢印で示す如く、巻き開始端部１４から巻き癖の付いたシートＳの巻き癖とは逆方向に巻いていき、図４に示す状態を経て、最終的に基板シート３、基板シート３と挟持シート５の重なった部分、そして必要に応じてシートＳの挟持されていない部分までを連続して巻いていく。
【００３２】
このようにして巻いていく過程において、巻き開始時点では、巻きの状態が安定しにくいが、図４に示す如く巻きが進むにつれて巻き断面の形状が真円に近くなり、この状態で巻き癖の付いたシートＳの巻きが始まる。従って、シートＳはそのシート端部から断面が真円に近い円筒に巻かれることと同様な効果が得られ、最初から最後まで一定の曲率で巻き癖と反対方向に巻かれる。従って巻き癖が綺麗に修正される。
【００３３】
また巻き癖の付いたシートＳの挟持されている端部１７は、基板シート３と挟持シート５との間に挟持されて強固に保持されているため、例えばシートＳを直接円筒体に巻き付ける場合と比べると、シートＳの端部１７を真っ直ぐで且つ巻き方向と垂直な方向に延びる状態に維持しながら巻いていくことができる。
【００３４】
以上、本発明の巻き癖除去装置の一実施の形態について説明したが、本発明は種々の変更を伴うことができる。例えば、基板シートへ挟持シートを溶着する代わりに、接着剤を用いて接着するようにしてもよい。また基板シート３及び挟持シート５は、ポリエチレンテレフタレート以外のプラスチックシートや、綺麗な巻きを形成しやすい紙類その他のシートであってもよい。
【００３５】
また基板シート３及び挟持シート５の幅寸法（巻き方向と直交する方向の寸法）は、巻き癖の付いたシートＳの幅寸法よりやや大きめであることが好ましい。このような寸法では基準線１３を形成しなくても、シートＳの両側部の辺を基板シート３や挟持シート５の側部の辺に平行に配置するだけで正しい配置が得られる。
【００３６】
その一方、１つの巻き癖除去装置１を複数種類の幅寸法を有する巻き癖付きのシートＳに使用することもできる。この場合、シートＳの幅寸法によっては基板シート３や挟持シート５の幅寸法より非常に小さくなってしまったり、逆に基板シート３や挟持シート５の幅寸法より大きく、巻き癖除去装置１から幅方向にはみ出た状態で巻く場合もあるが、本発明はこのような場合も発明の範囲内として想定している。
【００３７】
【発明の効果】
本発明によれば、挟持シートの設けられていない側の基板シートの端部側から巻き始めるため、基板シートの巻きが安定したところから巻き癖の付いたシートが巻き始められる。従って、巻き癖の付いたシートは同じ曲率で平均的に巻き戻されるため、巻き癖を綺麗に直すことができる。更に、巻き癖を有するシートよりも高い剛性を有する基板シートを使用することで、巻き癖を有するシートをそのまま巻き戻した場合に比べて、巻きの過程で断面が綺麗な円形になるように巻いていくことができるとともに、巻き癖を有するシートは該基板シートの巻きに素直に従って巻かれることができる。
【図面の簡単な説明】
【図１】本発明の巻き癖除去装置の正面図である。
【図２】本発明に係る巻き癖除去装置の構成を示す分解図である。
【図３】本発明に係る巻き癖除去装置に巻き癖の付いたシートをセットした状態を示す正面図である。
【図４】本発明に係る巻き癖除去装置を巻いている様子を示す斜視図である。
【図５】巻き癖を除去するための従来の手法を示す説明図である。
【図６】巻き癖を除去するための従来の手法を示す説明図である。
【符号の説明】
１  巻き癖除去装置
３  基板シート
５  挟持シート
７  被溶着部
９  溶着部
１０  シート挟持部
１１  スリップ止め
１３  基準線
１４  巻き開始端部
１５  切り欠き
１７  挟持されている端部
Ｓ  巻き癖が付いたシート
【図１】
0003567455.tif 000002
【図２】
0003567455.tif 000003
【図３】
0003567455.tif 000004
【図４】
0003567455.tif 000005
【図５】
0003567455.tif 000006
【図６】
0003567455.tif 000007